(57)【要約】【課題】  仕切りの組み立ておよび解体を容易とし、かつ嵌合された他の仕切り板との接合強度を、仕切りの使用において十分とすることができる仕切り板を提供する。【解決手段】  本発明の仕切り板２は、仕切り板３と嵌合することによって、段ボール箱の内部を分割する仕切りを形成するものである。そして、この仕切り板２は、弾性力を有する。この仕切り板４は、仕切り板３と嵌合するための切込み溝部２０を備えており、この切込み溝部２０の溝幅が、仕切り板３の厚み幅よりも小さくなる領域である挟持部２３を有し、この挟持部２３によって仕切り板３を挟持することができる。【選択図】  図１
2006188239.tif 000002
【特許請求の範囲】
【請求項１】
他の仕切り板と嵌合することによって、収納容器内部を複数領域に分割するための仕切りを形成する、弾性力を有する仕切り板であって、
上記他の仕切り板と嵌合するための切込み溝部を有しており、
上記切込み溝部は、嵌合状態で上記他の仕切り板と接触する領域である嵌合部を備え、
上記嵌合部の少なくとも一部の領域における上記切込み溝部の溝幅が、該他の仕切り板の厚みよりも小さくなることを特徴とする仕切り板。
【請求項２】
他の仕切り板と嵌合することによって、収納容器内部を複数領域に分割するための仕切りを形成する、弾性力を有する仕切り板であって、
上記他の仕切り板と嵌合するための切込み溝部を複数有しており、
上記切込み溝部のうち少なくとも１つは、嵌合状態で上記他の仕切り板と接触する領域である嵌合部を備え、
上記嵌合部の少なくとも一部の領域における上記切込み溝部の溝幅が、該他の仕切り板の厚みよりも小さくなることを特徴とする仕切り板。
【請求項３】
上記嵌合部の少なくとも一部の領域における上記切込み溝部の溝幅が、該他の仕切り板の厚みよりも小さくかつ、一定であることを特徴とする請求項１または２に記載の仕切り板。
【請求項４】
上記嵌合部の少なくとも一部の領域における上記切込み溝部の溝幅が、該他の仕切り板を嵌め込む方向に対して、徐々に小さくなることを特徴とする請求項１または２に記載の仕切り板。
【請求項５】
上記切込み溝部の溝幅が他の仕切り板の厚みよりも小さくなる、上記嵌合部の少なくとも一部の領域を挟持部とすると、
上記嵌合部における上記挟持部以外の領域における上記切込み溝部の溝幅が、上記他の仕切り板の厚みと略等しくなることを特徴とする請求項１〜４の何れか１項に記載の仕切り板。
【請求項６】
上記嵌合部における切込み溝部の形状は、直線によって形成されていることを特徴とする請求項５に記載の仕切り板。
【請求項７】
上記切込み溝部は、嵌合する上記他の仕切り板の挿入を受けるための領域である挿入開口部を備え、
上記挿入開口部における上記切込み溝部の溝幅は、挿入開始位置において上記他の仕切り板の厚み幅より大きく、かつ上記他の仕切り板の挿入方向に応じて小さくなることを特徴とする請求項１〜６のいずれか１項に記載の仕切り板。
【請求項８】
仕切り板同士が嵌合することによって形成される収納容器内部を複数領域に分割するための仕切りであって、
嵌合する上記仕切り板同士のうち少なくともいずれかの仕切り板が請求項１〜７のいずれか１項に記載の仕切り板であることを特徴とする仕切り。
【発明の詳細な説明】
【技術分野】
【０００１】
本発明は、収納容器内部を複数領域に分割するための仕切りおよび、この仕切りを構成する仕切り板に関するものである。
【背景技術】
【０００２】
従来から、例えば、図９に示すように、段ボール箱６００などの内部に複数の被梱包物を収納する場合、複数の仕切り板６０１…および仕切り板６０２…によって組み立てられた仕切りによって、複数の空間領域（室）を形成する。そして、この形成した室それぞれに被梱包物を収納している。
【０００３】
この仕切り板６０１…および仕切り板６０２…それぞれには、通常図１０に示すように、自身に対して嵌め込まれる仕切り板の厚み分の幅間隔を有する複数の切込み溝部６０３…、差込溝６０４…が形成されている。そして、仕切り板６０１…と仕切り板６０２…との両者は、上記切込み溝部６０３…および切込み溝部６０４…によって、図１１に示すように互いを直交させるように嵌合する。
【０００４】
このように、複数の仕切り板６０１…および仕切り板６０２…のそれぞれが嵌合され、図１２に示すように井型に組まれ、複数の室を有する仕切りを形成する。そして、この井型に組み立てられた仕切りが、図１３に示すように段ボール箱６００の内部に配置される。
【０００５】
ところで、上述したように井型に組み立てられた仕切りを段ボール箱６００内に配置する際に、仕切り板６０１と仕切り板６０２とを嵌合した接合部分が外れることがある。このように上記接合部分において、仕切り板６０１と仕切り板６０２との嵌合が外れてしまうと、仕切り板６０１と仕切り板６０２とによって形成される上記室の形状が変形し、各室の強度が低下する。
【０００６】
このため、上記仕切り板６０１と仕切り板６０２との両者ができるだけ外れにくく形成されていることが好適である。
【０００７】
例えば、特許文献１では、図１４に示すように、複数の溝１１５…を有する仕切り板１１１と、複数の溝１１６…を有する仕切り板１１２とが開示されている。
【０００８】
すなわち、この仕切り板１１１が有する溝１１５の中間部には、仕切り板１１２を挟みつけることができるように幅が狭くなった挟み部１１５ａが備えられている。また、この溝１１５の底部には、仕切り板１１２の最終噛み合いを確実に行えるように深さの浅い凹部１１５ｂが備えられている。
【０００９】
同様に、仕切り板１１２が有する溝１１６の中間部には、仕切り板１１１を挟みつけることができるように、幅が狭くなった挟み部１１６ａが備えられている。また、この溝１１６の底部には、仕切り板１１１の最終噛み合いを確実に行えるように深さの浅い凹部１１６ｂが備えられている。
【００１０】
このように、特許文献１では、上記中間部に設けられた挟み部１１５ａおよび挟み部１１６ｂ、ならびに凹部１１５ｂおよび凹部１１６ｂによって、仕切り板１１１および仕切り板１１２両者が外れにくくなるようにしている。
【００１１】
また、例えば、特許文献２では、図１５（ａ）に示すように、下向き突起部２１４ａを有する突出辺２１４、水平切込辺２１２、垂直切込辺２１３、垂直切込辺２１１、および傾斜切込辺２１５から形成される切込部２１０を備えた第１仕切り板２０１が開示されている。
【００１２】
また、この特許文献２では、図１５（ｂ）に示すように、切込部２２０および切込部２２４を備えている第２仕切り板２０２も開示されている。なお、この切込部２２０は、垂直切込辺２２１、水平切込辺２２２、および垂直切込辺２２３によって、また、切込部２２４は、垂直切込辺２２５、水平切込辺２２６、および垂直切込辺２２７によって囲まれた略矩形形状をしている。
【００１３】
そして、上記第１仕切り板と第２仕切り板とを嵌合させる場合、上記切込部２２０の水平切込部２２２が突起部２１４ａと垂直切込辺２１３とによって形成される領域によって挟まれる。また、上記水平切込部２２２と対向する水平切込部２２６が水平切込辺２１２によって形成される凹領域によって挟まれる。
【００１４】
このように特許文献２に示す仕切り板では、第２仕切り板の水平切込辺２２２と水平切込辺２２６とを第１仕切り板によって挟みこむことによって、第１仕切り板と第２仕切り板とを嵌合させ、複数の上記室を形成することができる。
【００１５】
また、特許文献３では、図１６（ａ）および図１６（ｂ）に示すように、上下のスリット３０２ａおよびスリット３０２ｂが設けられた縦仕切り板３０１と、切れ目３０５、脱落防止ロック溝３０４ａ、および切欠孔３０４ｂを備えた横仕切り板３０３とが開示されている。この特許文献３に示す縦仕切り板３０１と横仕切り板３０３とを嵌合させた際（図１７参照）、横仕切り板３０３の脱落防止ロック溝３０４ａ内に、縦仕切り板３０１の非切抜き部分３０２ｃを嵌めこむため、両者の仕切り板相互が外れにくくなる。
【００１６】
また、特許文献４では、図１８に示すように、差込み溝４０３…、ストッパー４０５…、および係止部４０７…を備える中仕切り板４０１と、差込み溝４０４…、ストッパー４０６…、および係止部４０８…を備える中仕切り板４０２とが開示されている。
【００１７】
この特許文献４に開示された中仕切り材は、上記中仕切り板４０１の差込み溝４０３と中仕切り板４０２の差込み溝４０４とを相互に嵌込み、直角に交差して組み合わせることにより形成される。
【００１８】
この特許文献４の中仕切り材は、中仕切り板４０１と中仕切り板４０２とを嵌込む際、ストッパー５およびストッパー６の傾斜面が相互に突き当たり、互いを乗り越えてさらに押し込むことができるようになっている。そして、中仕切り板４０１と中仕切り板４０２とを互いに嵌め合わせ、押し込むことによって、両差込み溝４０３・４０４は、図１９に示すように完全に挟み込まれる。なお、中仕切り板４０１と中仕切り板４０２とを嵌込む際、ストッパー４０５は係止部４０８で、また、ストッパー４０６は係止部４０７で係止され、中仕切り板４０１と中仕切り板４０２とが相互に外れないようになっている。
【００１９】
また、特許文献５では、横仕切り板において上端部および下端部に交互に切欠部が矩形形状に形成され、上端部の切欠部と下端部の切欠部とに縦仕切り板を嵌合させて構成する中仕切りが開示されている。
【００２０】
しかしながら、この特許文献５に開示された中仕切りは、舌片部にかかる外力に対する耐圧を向上させるものであり、嵌合される仕切り板同士が外れないように工夫されたものではない。
【特許文献１】特開２００４−３５０６１号公報（２００４年２月５日公開）
【特許文献２】特開平１１−１１５９２６号公報（１９９９年４月２７日公開）
【特許文献３】特開２００４−４２９１９号公報（２００４年２月１２日公開）
【特許文献４】特開平６−９２３４３号公報（１９９４年４月５日公開）
【特許文献５】特開平１１−２３６０３４号公報（１９９９年８月３１日公開）
【発明の開示】
【発明が解決しようとする課題】
【００２１】
しかしながら、上記特許文献２〜特許文献４によって示される仕切りでは、嵌合する仕切り板同士の接合強度を十分に大きくすることができないという問題を生じる。
【００２２】
すなわち、特許文献２に開示された仕切り板１１１は、上記挟み部１１５ａと嵌合相手の仕切り板１１２との接点に加えられる力によって、相互の仕切り板同士がはずれないようになっている。
【００２３】
また、特許文献３に開示された仕切り板では、第２仕切り板の水平切込辺２２２と水平切込辺２２６とが、第１仕切り板との接点によって固定されることによって、相互の仕切り板同士がはずれないようになっている。
【００２４】
このように特許文献２および特許文献３では、相互の仕切り板同士が２接点だけで挟持されているため、仕切り板同士の接合強度を大きくすることができない。
【００２５】
また、特許文献４では、縦仕切り板３０１と横仕切り板３０３とを嵌合させる際、横仕切り板３０３の脱落防止ロック溝３０４ａ内に、縦仕切り板３０１の非切抜き部分３０２ｃを嵌めこむようになっている。また、この脱落防止ロック溝３０４ａの幅は、嵌め込まれる非切り抜き部分３０２の幅と等しくなっている。このため、縦仕切り板３０１と横仕切り板３０３とは、脱落防止ロック溝と非切抜き部分の接合領域において生じる摩擦力により固定されることになる。このため、上記縦仕切り板３０１と横仕切り板３０３との接合強度は十分大きなものとならず、縦仕切り板３０１または横仕切り板３０３は外力を受けることによって両者の接合箇所がずれてしまうこととなる。
【００２６】
また、この特許文献４は、仕切り板同士を嵌合させ組み立てる作業において手間がかかり、組み立てを容易に行うことができないという問題を生じる。
【００２７】
特許文献５では、嵌合し合う仕切り板同士の接合強度が大きすぎて、段ボール箱などの収納容器の廃棄時に仕切り板を解体することが困難となる。
【００２８】
本発明は、上記の問題点に鑑みてなされたものであり、その目的は、仕切り板同士の組み立ておよび解体を容易とし、かつ組み立てられた仕切り板同士の接合強度を仕切りの使用において十分となる仕切り板および仕切りを提供することにある。
【課題を解決するための手段】
【００２９】
本発明に係る仕切り板は、上記した課題を解決するために、他の仕切り板と嵌合することによって、収納容器内部を複数領域に分割するための仕切りを形成する、弾性力を有する仕切り板であって、上記他の仕切り板と嵌合するための切込み溝部を有しており、上記切込み溝部は、嵌合状態で上記他の仕切り板と接触する領域である嵌合部を備え、上記嵌合部の少なくとも一部の領域における上記切込み溝部の溝幅が、該他の仕切り板の厚みよりも小さくなることを特徴とする。
【００３０】
また、本発明に係る仕切り板は、上記した課題を解決するために、他の仕切り板と嵌合することによって、収納容器内部を複数領域に分割するための仕切りを形成する、弾性力を有する仕切り板であって、上記他の仕切り板と嵌合するための切込み溝部を複数有しており、上記切込み溝部のうち少なくとも１つは、嵌合状態で上記他の仕切り板と接触する領域である嵌合部を備え、上記嵌合部の少なくとも一部の領域における上記切込み溝部の溝幅が、該他の仕切り板の厚みよりも小さくなることを特徴とする。
【００３１】
なお、上記した仕切り板は、例えば段ボールシート、板紙、あるいは合成樹脂板等によって実現できる。
【００３２】
上記した構成によると、上記嵌合部の少なくとも一部の領域における上記切込み溝部の溝幅が、該他の仕切り板の厚みよりも小さくなる。このため、他の仕切り板と接触する少なくとも一部の領域で、この他の仕切り板を挟持し押圧する力と、この力によって変形した他の仕切り板の厚み形状が元の形状に戻ろうとする力とによって、上記他の仕切り板を固定することができる。
【００３３】
したがって、本発明に係る仕切り板は、他の仕切り板を、嵌合部における一部の領域、すなわち所定領域の面で挟持することができるため、より大きな接合強度を実現することができる。
【００３４】
また、上記切込み溝部の形状は、嵌合部における一部が他の仕切り板の厚みよりも小さい溝幅となるだけであるため、幾何学的に単純な形状として実現できる。このため、仕切り板に上記した嵌合部を有する切込み溝部を容易に設けることができる。また上記切込み溝部の形状が幾何学的に単純な形状であるため、上記切込み溝部の設計の自由度が高くなる。
【００３５】
このため、上記溝幅が他の仕切り板の厚みより小さくなる領域を簡単に決定することができ、嵌合する他の仕切り板の重量、材質、大きさなどの特性や、仕切りの使用態様に応じた接合強度となる上記嵌合部を設計することができる。
【００３６】
また、上記切込み溝部の形状は、嵌合部における一部が他の仕切り板の厚みよりも小さい溝幅となるだけである。このため、他の仕切り板を上記切込み溝部に嵌め込むだけで仕切りを組み立てることができる。また、嵌め込んだ仕切り板を切込み溝部から引き抜くだけで上記仕切りの解体を行うことができる。
【００３７】
よって本発明に係る仕切り板は、仕切りの組み立ておよび解体を容易とし、かつ嵌合された他の仕切り板との接合強度を、仕切りの使用において十分とすることができるという効果を奏する。
【００３８】
また、本発明に係る仕切り板は、上記した構成において、上記嵌合部の少なくとも一部の領域における上記切込み溝部の溝幅が、該他の仕切り板の厚みよりも小さくかつ、一定であるように構成されていてもよい。
【００３９】
すなわち、本発明に係る仕切り板は、嵌合部の少なくとも一部の領域において、嵌合する他の仕切り板に対して一定の押圧力をかけることができる。このため、嵌合される他の仕切り板をしっかりと安定して保持することができる。
【００４０】
また、本発明に係る仕切り板は、上記した構成において、上記嵌合部の少なくとも一部の領域における上記切込み溝部の溝幅が、該他の仕切り板を嵌め込む方向に対して、徐々に小さくなっているように構成されていてもよい。
【００４１】
上記構成によると、切込み溝の少なくとも一部の領域では、切込み溝の溝幅が、他の仕切り板の厚みよりも徐々に小さくなるように構成されているため、他の仕切り板をスムースに切込み溝部に嵌め込むことができる。
【００４２】
また、本発明に係る仕切り板は、上記した構成において、上記切込み溝部の溝幅が他の仕切り板の厚みよりも小さくなる、上記嵌合部の少なくとも一部の領域を挟持部とすると、上記嵌合部における上記挟持部以外の領域における上記切込み溝部の溝幅が、上記他の仕切り板の厚みと略等しくなるように構成されていてもよい。
【００４３】
上記構成によると、上記嵌合部では、切込み溝部の溝幅が、嵌合される他の仕切り板の厚み幅よりも小さくなる領域（挟持部）と略等しくなる領域とが混在することとなる。
【００４４】
すなわち、上記挟持部では、上記したように他の仕切り板を挟持することができる。また挟持部以外の嵌合部における領域では、他の仕切り板が、上記切込み溝部の溝形状に沿って配置できるように支持することができる。
【００４５】
したがって、本発明に係る仕切り板は、他の仕切り板を挟持する部分と、支持する部分とによって適切な接合強度を保って、仕切りの形状が変形しないように保持することができる。
【００４６】
なお、他の仕切り板と本発明に係る仕切り板とにおいて強い接合強度が求められる場合は、この挟持部の領域をより大きくとればよく、比較的弱い接合強度が求められる場合は、この挟持部の領域をより小さく取ればよい。
【００４７】
また、本発明に係る仕切り板は、上記した構成において、上記嵌合部における切込み溝部の形状は、直線によって形成されていてもよい。
【００４８】
すなわち、上記嵌合部において、上記挟持部を形成する切込み溝部の形状および、挟持部以外の嵌合部における領域は直線形状によって形成されている。
【００４９】
このため、上記切込み溝部の溝形状はより単純な幾何学的形状となり、本発明に係る仕切り板における、上記切込み溝部の形成を容易とする。
【００５０】
また、本発明に係る仕切り板は、上記した構成において、上記切込み溝部は、嵌合する上記他の仕切り板の挿入を受けるための領域である挿入開口部を備え、上記挿入開口部における上記切込み溝部の溝幅は、挿入開始位置において上記他の仕切り板の厚み幅より大きく、かつ上記他の仕切り板の挿入方向に応じて小さくなるように構成されていてもよい。
【００５１】
上記構成によると、挿入開口部では、挿入開始位置の切込み溝部の溝幅が、嵌合する他の仕切り板の厚み幅よりも大きい。このため、嵌合させる他の仕切り板を容易に挿入開口部に挿入させることができる。
【００５２】
また、挿入開口部では、他の仕切り板の挿入方向に応じて、上記切込み溝部の溝幅が小さくなる。このため、他の仕切り板を嵌合させるために、急に大きな力をかける必要がなくこの他の仕切り板を切込み溝部に挿入していくことができる。
【００５３】
したがって、本発明に係る仕切り板は、上記他の仕切り板を容易に挿入し嵌合させることができる。
【００５４】
また、本発明に係る仕切りは、上記した課題を解決するために、仕切り板同士が嵌合することによって形成される収納容器内部を複数領域に分割するための仕切りであって、嵌合する上記仕切り板同士のうち少なくともいずれかの仕切り板が、上記した仕切り板であることを特徴とする。
【００５５】
上記構成によると、嵌合する上記仕切り板同士のうち少なくともいずれかの仕切り板が上記した仕切り板である。このため、仕切り板同士の接合部分では、他方の仕切り板を、一方の仕切り板が嵌合部における所定領域の面で挟持することができるため、より大きな接合強度を実現することができる。
【００５６】
また、上記した仕切り板が有する切込み溝部の形状は、嵌合部における一部が他の仕切り板の厚みよりも小さい溝幅となるだけである。
【００５７】
このため、仕切り板に上記した嵌合部を有する切込み溝部を容易に設けることができる。また上記切込み溝部の形状が幾何学的に単純な形状であるため、上記切込み溝部の設計の自由度が高くなる。
【００５８】
このため、嵌合する他の仕切り板の重量、材質、大きさなどの特性や、仕切りの使用態様に応じた接合強度となる上記嵌合部を設計することができる。
【００５９】
また、上記切込み溝部の形状は、嵌合部における一部が他の仕切り板の厚みよりも小さい溝幅となるだけである。このため、他の仕切り板を上記切込み溝部に嵌め込むだけで仕切りを組み立てることができる。また、嵌め込んだ仕切り板を切込み溝部から引き抜くだけで上記仕切りの解体を行うことができる。
【００６０】
よって本発明に係る仕切りは、組み立ておよび解体を容易とし、かつ嵌合された他の仕切り板との接合強度を、使用に際して十分とすることができるという効果を奏する。
【発明の効果】
【００６１】
本発明に係る仕切り板は、以上のように、他の仕切り板と嵌合することによって、収納容器内部を複数領域に分割するための仕切りを形成する、弾性力を有する仕切り板であって、上記他の仕切り板と嵌合するための切込み溝部を有しており、上記切込み溝部は、嵌合状態で上記他の仕切り板と接触する領域である嵌合部を備え、上記嵌合部の少なくとも一部の領域における上記切込み溝部の溝幅が、該他の仕切り板の厚みよりも小さくなることを特徴とする。
【００６２】
また、本発明に係る仕切り板は、以上のように、他の仕切り板と嵌合することによって、収納容器内部を複数領域に分割するための仕切りを形成する、弾性力を有する仕切り板であって、上記他の仕切り板と嵌合するための切込み溝部を複数有しており、上記切込み溝部のうち少なくとも１つは、嵌合状態で上記他の仕切り板と接触する領域である嵌合部を備え、上記嵌合部の少なくとも一部の領域における上記切込み溝部の溝幅が、該他の仕切り板の厚みよりも小さくなることを特徴とする。
【００６３】
よって本発明に係る仕切り板は、仕切りの組み立ておよび解体を容易とし、かつ嵌合された他の仕切り板との接合強度を、仕切りの使用において十分とすることができるという効果を奏する。
【００６４】
また、本発明に係る仕切りは、以上のように、仕切り板同士が嵌合することによって形成される収納容器内部を複数領域に分割するための仕切りであって、嵌合する上記仕切り板同士のうち少なくともいずれかの仕切り板が、上記した仕切り板であることを特徴とする。
【００６５】
よって本発明に係る仕切りは、組み立ておよび解体を容易とし、かつ嵌合された他の仕切り板との接合強度を、使用に際して十分とすることができるという効果を奏する。
【発明を実施するための最良の形態】
【００６６】
本発明の一実施形態について図１ないし図１９に基づいて説明すると以下の通りである。
【００６７】
すなわち、本実施の形態に係る仕切り４は、図３に示すように、段ボール箱１の内部に複数の室１１…を形成することによって、複数の被梱包物を収納できるようにするためのものである。なお、この図３は、本実施の形態に係る段ボール箱１の内部に配置された仕切り４の一例を示す斜視図である。
【００６８】
そして、この仕切り４では、複数の仕切り板２…が、その長手方向がＸ軸方向となるように、また複数の仕切り板３…が、その長手方向がＹ軸方向となるように配置されている。そして、この仕切り４は、仕切り板２…および仕切り板３…が所定間隔ごとに相互に嵌合されることにより構成される。
【００６９】
なお、仕切り４では、仕切り板２…それぞれの仕切り面５と、仕切り板３…それぞれの仕切り面６とが互いに略直交するように嵌合されている。そして、この仕切り４は、段ボール箱１の底面に対してこれら仕切り面５および仕切り面６が略垂直となるように配置される。
【００７０】
上記仕切り板２…それぞれは、図２（ａ）に示すように、複数の切込み溝部２０…を備え、また上記仕切り板３…それぞれは、図２（ｂ）に示すように、複数の差込溝３０…を備えている。そして、この仕切り板２…および仕切り板３…それぞれは、図１に示すように、この切込み溝部２０と切込み溝部３０とによって互いが嵌合されるようになっている。この図１は、本実施の形態に係る仕切り板同士を嵌合させた状態を示す斜視図である。また図２（ａ）は、本実施の形態に係る仕切り板２の構成を示す斜視図であり、図２（ｂ）は、本実施の形態に係る仕切り板３の構成を示す斜視図である。
【００７１】
なお、上記仕切り板２…および仕切り板３…は、それぞれ厚みを有しており、図２（ａ）および図２（ｂ）に示すように、本実施形態では仕切り板２…の厚み幅をｔ、仕切り板３の厚み幅をｓとして表す。
【００７２】
また、互いの仕切り板同士が嵌合し合う側の辺、すなわち、仕切り板２と仕切り板３とを嵌合させて仕切り４を組み立てる際、仕切り板２における、仕切り板３に嵌めこむ側の辺を嵌合側辺７とする。そして、仕切り面５において嵌合側辺７と対向する辺を仕切り側辺９とする。
【００７３】
逆に、仕切り板３における、仕切り板２に嵌めこむ側の辺を嵌合側辺８とする。そして、仕切り面６においてこの嵌合側辺８と対向する辺を仕切り側辺１０とする。
【００７４】
ここで、上記仕切り板２では、上記切込み溝部２０が、仕切り４の組み立て時において、嵌合側辺７から上記仕切り側辺９までの距離（すなわち、仕切り面５におけるＺ軸方向の大きさ）の略１／２となる位置（ａ−ｂ間）まで形成されている。
【００７５】
また、上記仕切り板３では、上記切込み溝部３０が、仕切り４の組み立て時において、嵌合側辺８から仕切り側辺１０までの距離（すなわち、仕切り面６におけるＺ軸方向の大きさ）の略１／２となる位置（ｃ−ｄ間）まで形成されている。
【００７６】
なお、本実施の形態に係る仕切り板２および仕切り板３では、両者の仕切り高さ（上記仕切り面５におけるＺ軸方向の大きさ、および上記仕切り面６におけるＺ軸方向の大きさ）は同一である。したがって、上記ａ−ｂ間の距離と上記ｃ−ｄ間の距離とは等しくなる。
【００７７】
また、図２（ａ）および図２（ｂ）に示すように、上記仕切り板２は切込み溝部２０を、所定間隔ごとに複数備えており、また仕切り板３は、切込み溝部３０を所定間隔ごとに複数備えている。なお、切込み溝部２０または切込み溝部３０が形成される、上記所定間隔は、段ボール箱１の内部に収納する被梱包物の大きさなどに応じて適宜決定される。
【００７８】
上記各仕切り板２…が有する切込み溝部２０は、差込開口部２１および嵌合部２４を備え、各仕切り板３…が有する切込み溝部３０は、差込開口部３１および嵌合部３４を備えている。
【００７９】
上記差込開口部２１は、嵌合相手である仕切り板３を挿入するために設けられた開口であり、図２（ａ）に示すように嵌合側辺７から仕切り側辺９に向かう方向に、この形成された開口の幅が徐々に狭まるような溝形状となっている。すなわち、嵌合側辺７において仕切り板３の厚みｓよりも大きい溝幅で開口され、仕切り側辺９に向かう方向（Ｚ軸方向）に、溝幅が仕切り板３の厚みｓと同じ幅となるまで徐々に小さくなっている。
【００８０】
上記嵌合部２４は、仕切り板３との嵌合状態において、切込み溝部２０が仕切り板３と接触する領域であり、支持部２２および挟持部２３を備えている。
【００８１】
この支持部２２は、仕切り板３の有する仕切り面６が、仕切り面５に対して直交した状態を維持できるように、仕切り板３を支持するためのものである。切込み溝部２０では、この支持部２２として、嵌合側部７から仕切り側部９に向かう所定区間において、仕切り板３の厚みｓと同じ大きさとなる溝幅の領域が形成されている。
【００８２】
挟持部２３は、嵌め込まれた仕切り板３が切込み溝部２０から抜け出さないように挟持するためのものである。切込み溝部２０では、挟持部２３として、上記仕切り板３の厚みｓよりもやや小さい溝幅を、嵌合側辺７から仕切り側辺９に向かう所定区間において形成している。
【００８３】
すなわち、上記差込開口部２１では、嵌合側辺７において嵌合相手（仕切り板３）の厚み幅ｓより大きい幅の溝が形成され、そして、この溝を形成する両側部が左右対象に、嵌合側辺７から仕切り側辺９に向かう方向に、互いが接近するように傾斜している。そして、上記両側部によって形成される溝幅の間隔が、仕切り板３の厚さｓと等しくなると、この間隔を維持したまま、上記両側部は互いに平行に仕切り側辺９に向かって所定区間伸びる。すなわち、仕切り板３の厚さｓと等しい間隔となる矩形形状の溝が所定区間つづき、支持部２２を形成する。
【００８４】
挿入開口部２１と支持部２２とを形成する、切込み溝部２０における所定領域が、仕切り面５におけるａ−ｂ間の距離の略１／２まで達すると、上記厚み幅ｓよりも小さい間隔幅で上記両側部が平行に仕切り測辺９に向かって所定区間のびる。すなわち、上記ａ−ｂ間における中点からｂまでの間は、上記厚み幅ｓよりも小さい幅となる矩形形状の溝が形成される（挟持部２３）。
【００８５】
同様に、上記差込開口部３１は、嵌合相手である仕切り板２を挿入するために設けられた開口であり、図２（ｂ）に示すように嵌合側部８から仕切り側部１０に向かう方向に、この形成された開口幅が徐々に狭まるような形状となっている。すなわち、嵌合側辺８において仕切り板２の厚み幅ｔよりも大きい幅で開口され、仕切り側辺１０に向かう方向（Ｚ軸方向）に、この開口の幅が仕切り板３の厚み幅ｔと同じになるまで徐々に小さくなっている。
【００８６】
上記嵌合部３４は、仕切り板２との嵌合状態において、切込み溝部３０が仕切り板２と接触する領域であり、支持部３２および挟持部３３を備えている。
【００８７】
この支持部３２は、仕切り板２の有する仕切り面５が、仕切り面６に対して直交した状態を維持できるように、該仕切り板２を支持するためのものである。切込み溝部３０では、この支持部３２として、嵌合側部８から仕切り側部１０に向かう所定区間において、仕切り板２の厚みｔと同じ大きさとなる溝幅の領域が形成されている。
挟持部３３は、嵌め込まれた仕切り板２が切込み溝部３０から抜け出さないように挟持するためのものである。切込み溝部３０では、挟持部３３として、上記仕切り板２の厚み幅ｔよりもやや小さい溝幅を、嵌合側辺８から仕切り側辺１０に向かう所定区間において形成している。
【００８８】
すなわち、上記差込開口部３１では、嵌合側辺８において嵌合相手（仕切り板２）の厚み幅ｔより大きい幅の溝が形成され、そして、この溝を形成する両側部が左右対象に、嵌合側辺８から仕切り側辺１０に向かう方向に、互いが接近するように傾斜している。そして、上記両側部によって形成される溝幅の間隔が、仕切り板２の厚さｔと等しくなると、この間隔を維持したまま、上記両側部は互いに平行に仕切り側辺１０に向かって所定区間伸びる。すなわち、仕切り板２の厚さｔと等しい間隔となる矩形形状の溝が所定区間つづき、支持部３２を形成する。
【００８９】
挿入開口部３１と支持部３２とを形成する、切込み溝部３０における所定領域が、仕切り面６におけるｃ−ｄ間の距離の略１／２まで達すると、上記厚み幅ｔよりも小さい間隔幅で上記両側部が平行に仕切り測辺１０に向かって所定区間のびる。すなわち、上記ｃ−ｄ間における中点からｄまでの間は、上記厚み幅ｔよりも小さい幅となる矩形形状の溝が形成される（挟持部３３）。
【００９０】
ところで、本実施の形態に係る仕切り板２および仕切り板３は、段ボール箱１と同じ材質（段ボールシート）によって形成されている。このため、仕切り板２および仕切り板３では、波形に成形した中芯原紙の両面にライナーが張られており、この面（仕切り面５または仕切り面６）に対して略垂直方向の力がかかると、中芯原紙が圧迫され波形の振幅が狭まる。そして、上記垂直方向にかかる力を中芯原紙が受けると、その力と逆向きの力で反発する。すなわち、上記仕切り板２および仕切り板３は弾性が比較的大きい材質である。
【００９１】
このため、仕切り板２の厚みｔの幅が、上記した挟持部２３によって圧迫され狭められると、挟持部２３によって圧迫されている仕切り面５は、この挟持部２３に対して反発する。したがって、仕切り板２は、挟持部２３によって仕切り板３を挟持し固定することができる。
【００９２】
また、同様に仕切り板３の厚みｓの幅が、上記した挟持部３３によって圧迫され狭められると、この仕切り板３の仕切り面６は挟持部３３に対して反発する。したがって、仕切り板３は、挟持部３３によって仕切り板２を挟持し固定することができる。
【００９３】
このように、本実施の形態に係る仕切り板２および仕切り板３は、嵌合相手の仕切り板を所定間隔の領域にわたって形成されている挟持部２３または挟持部３３とによって挟持している。
【００９４】
ここで、上記した特許文献１または特許文献２に示す仕切り板では２点間でのみ嵌合相手の仕切り板を挟持していた。一方、本実施の形態に係る仕切り板２または仕切り板３では、所定間隔の２領域によって嵌合相手の仕切り板を挟持する。
【００９５】
したがって、公知文献（特許文献１および特許文献２）に示される仕切り板よりも、本実施の形態に係る仕切り板２および仕切り板３の方が大きな強度の力で嵌合相手の仕切り板を挟持することができる。
【００９６】
また、特許文献２に示した仕切り板では、嵌合相手の仕切り板の厚み幅と等しい溝幅となる脱落防止ロック溝３０４ａを備え、この脱落防止ロック溝３０４ａによって、嵌合する他の仕切り板を固定する構成である。しかしながら、上記脱落防止ロック溝３０４ａの溝幅が嵌合する他の仕切り板の厚み幅と等しいため、この脱落防止ロック溝と該他の仕切り板との接触領域に生じる摩擦力によって他の仕切り板を固定することとなる。
【００９７】
したがって特許文献３に示される仕切り板よりも、本実施の形態に係る仕切り板２および仕切り板３の方がより大きな強度の力で嵌合相手の仕切り板を挟持することができる。
【００９８】
また、上述した切込み溝部２０および切込み溝部３０は、いわゆるトムソン加工によって形成される。すなわち、切込み溝部２０および切込み溝部３０の形状の木型をベニヤ板等で作成し、このベニヤ板に鋼鉄製の刃を差し込む。そして、この木型によって、仕切り板２または仕切り板３の所定箇所を打ち抜くことによって上記切込み溝部２０または切込み溝部３０を形成する。
【００９９】
本実施の形態に係る切込み溝部２０および切込み溝部３０の形状は、図１に示されるように直線によって形成でき、幾何学的に単純な形状である。このため、例えば、特許文献１〜特許文献３に示すような曲線形状で切込み溝部が形成される場合と比較して上記木型の作成が容易となり、切込み溝部２０および切込み溝部３０の設計の自由度を高めることができる。
【０１００】
すなわち、本実施の形態に係る仕切り板２および仕切り板３では、切込み溝部２０および切込み溝部３０において、上記した挿入開口部２１・３１、支持部２２・３２、および挟持部２３・３３が占める割合を容易に設計変更することができる。
【０１０１】
つまり、上記嵌合部２４および嵌合部３４において、嵌合相手の仕切り板を挟持する領域（挟持部２３および挟持部３３）の大きさ、および挟持部２３および挟持部３３の溝幅の大きさを製造時に容易に変更することができる。このため、嵌合相手の仕切り板を固定する力の大きさを、この仕切り板の重さや材質等に応じて、あるいは仕切り４の使用用途に応じて調整することができる。
【０１０２】
これに対して、特許文献４に示す仕切り板では、上述したように、中仕切り板４０１と中仕切り板４０２とを嵌込む際、ストッパー５およびストッパー６の傾斜面が相互に突き当たり、互いを乗り越えてさらに押し込むことができるように構成されている。そして、中仕切り板４０１と中仕切り板４０２とを互いに嵌め合わせ、押し込むことによって、両差込み溝４０３・４０４は、図１９に示したように完全に挟み込まれる。
【０１０３】
このような特許文献４の構成の場合、仕切り板の製造時に接合強度を調整することができないとともに、嵌合する仕切り板同士の接合強度が大きすぎて、段ボール箱などの収納容器の廃棄時に仕切り板を解体することが困難となる。
【０１０４】
また、図２（ａ）に示すように、切込み溝部２０は、嵌合側辺７に対して略垂直に形成されている。また同様に、図２（ｂ）に示すように、切込み溝部３０は、嵌合側辺８に対して略垂直に形成されている。
【０１０５】
このため、仕切り板２と仕切り板３とを嵌合させ組み立てる場合、仕切り板３を仕切り板２の嵌合側辺７に対して略垂直となる方向に、あるいは仕切り板２を仕切り板３の嵌合側辺８に対して略垂直となる方向に力を加えるだけで、仕切り板２と仕切り板３とを組み合わせることができる。
【０１０６】
すなわち、本実施の形態に係る仕切り４は、仕切り板２または仕切り板３に対して一方向に力を加えることで組み立てることができる。なお、この一方向とは、嵌合側辺７または嵌合側辺８に対して略垂直かつ、嵌合側辺７から仕切り側辺９に向かう方向、あるいは嵌合側辺８から仕切り側辺１０に向かう方向である。
【０１０７】
これに対して先に述べた特許文献２または特許文献３では、複数方向に力をかけることによって２枚の仕切り板を嵌合させることができる。すなわち、特許文献２に示す仕切り板では、少なくとも以下に示す２つの方向の力が必要となる。
【０１０８】
すなわち、垂直切込辺２１１と突出辺２１４との間に嵌合させる仕切り板を挿入させるための力と、挿入された仕切り板の水平切込部２２２を突起部２１４ａと垂直切込辺２１３とによって形成する領域に挟み、この水平切込部２２２と対向する水平切込部２２６を水平切込辺２１２によって形成される凹領域に挟むために必要となる力とが少なくとも必要となる。
【０１０９】
また、特許文献３に示す仕切り板では、仕切りを組み立てるために、少なくとも以下に示す力が必要となる。すなわち、切れ目３０５を設けることによって形成された舌片を上向きに折り曲げるための力と、嵌め込む仕切り板を脱落防止ロック溝３０４ａにかみ合わせ、この嵌合する仕切り板が有するスリットに上記舌片を挿入する力とが必要となる。
【０１１０】
このため、本実施の形態に係る仕切り板２または仕切り板３は、上記特許文献２または特許文献３に開示する仕切り板と比較して容易に２枚の仕切り板同士を嵌合させることができる。
【０１１１】
また、本実施の形態に係る切込み溝部２０は、上記したように挟持部２３の溝幅が一定となる形状であったがこれに限定されるものではない。例えば図４に示すように、この挟持部２３の溝幅が嵌合側辺７から仕切り側辺９に向かう方向に徐々に細くなるように形成されていてもよい。
【０１１２】
このように、嵌合部２３における溝幅を徐々に細くするように構成することにより、仕切り板２に対して仕切り板３を嵌め込みやすくなるという更なる効果が得られる。
【０１１３】
なお、切込み溝部３０についても、上記した切込み溝部２０と同様に、図４に示すような溝形状としてもよい。
【０１１４】
また、上記仕切り板２が有する切込み溝部２０と、仕切り板３が有する切込み溝部３０との形状が同一であった。しかしながら、仕切り板３が有する切込み溝部３０を、図５に示すような形状に構成してもよい。
【０１１５】
すなわち、上記した切込み溝部３０では、挿入開口部３１に続いて支持部３２、挟持部３３が形成される構成であった。しかしながら、挿入開口部３１に続いて挟持部３３が、そして支持部３２が形成される構成としてもよい。そして、このような切込み溝部３０と切込み溝部２０とを嵌合させ仕切り４を構成してもよい。
【０１１６】
上記切込み溝部３０および切込み溝部２０はともに支持部および挟持部を備えているため、このような異なる形状の切込み溝部３０と切込み溝部２０とを嵌合させた場合であっても、上記した同一形状の切込み溝部３０と切込み溝部２０とを嵌合させた場合と同様の効果が得られる。
【０１１７】
なお、上記図５は、本発明の他の実施形態を示すものであり、嵌合させる双方の仕切り板（仕切り板２および仕切り板３）を示す斜視図である。また、図５において破線によって示す双方向の矢印ｇは、仕切り板２と仕切り板３との嵌合時において、嵌合させる切込み溝部２０と切れ込み溝部３０とのペアの一例を示すものである。
【０１１８】
また、図５では、切込み溝部３０の形状が、先に述べた切込み溝部３０の形状と異なるように構成されていたが、逆に切込み溝部２０を、挿入開口部３１に続いて支持部３２、挟持部３３が形成される構成としてもよい。
【０１１９】
また、上記した仕切り板２または仕切り板３では、それぞれが備える複数の切込み溝部２０または切込み溝部３０それぞれは同一形状であったがこれに限定されるものではない。
【０１２０】
例えば、図６に示すように、仕切り板２は、上記した構成の切込み溝部２０と、嵌合される仕切り板３の厚み分の、一定の溝幅によって形成されている切込み溝部４０との異なる種類の形状の切込み溝部を備えるように構成されていてもよい。
【０１２１】
この図６は、本発明の他の実施形態を示すものであり、嵌合させる双方の仕切り板（仕切り板２および仕切り板３）を示す斜視図である。また、図６において破線によって示す双方向の矢印ｈは、仕切り板２と仕切り板３との嵌合時において、嵌合させる切込み溝部２０と切れ込み溝部３０とのペアの一例を示すものである。
【０１２２】
すなわち、仕切り板２は、図６に示すように、上記した形状の切込み溝部２０と、仕切り板３の厚み幅と等しい、一定の溝幅の切込み溝部４０とが、仕切り板２の長手方向において交互に備えられている。
【０１２３】
同様に、図６に示すように、仕切り板３は、挿入開口部３１、支持部３２、および挟持部３３を備えた、上記した形状の切込み部３０と、嵌合相手である上記仕切り板２の厚み幅と等しい溝幅となる仕切り板５０とが、仕切り板３の長手方向において交互に備えられている。
【０１２４】
このように、仕切り板２または仕切り板３において、隣接する切込み溝部２０と切込み溝部４０、あるいは、隣接する切込み溝部３０と切込み溝部５０とが異なる溝形状となるように構成されていてもよい。
【０１２５】
ただし、このように上記仕切り板２および仕切り板３が構成され、この仕切り板２と仕切り板３とを嵌合させる場合、切込み溝２０と切込み溝部５０とを、あるいは、切込み溝部４０と切込み溝部３０とを嵌合させる。すなわち、仕切り板２と仕切り板３とが嵌合状態にある場合、少なくとも仕切り板２または仕切り板３が有する切込み溝部のいずれかに挟持部が備えられている必要がある。
【０１２６】
なお、このように仕切り板２と仕切り板３との接合部分において、該仕切り板２または仕切り板３のいずれかの切込み溝部が挟持部を有する構成の場合、仕切り板２と仕切り板３との嵌合時に必要となる力が小さくてすむという利点を有する。
【０１２７】
また、上記仕切り板２および仕切り板３は、段ボールシートによって形成されていたが、これに限定されるものではなく、例えば、板紙または合成樹脂によって形成された板であってもよい。
【０１２８】
また、上記切込み溝部２０では、支持部２２として、嵌合側部７から仕切り側部９に向かう所定区間において、仕切り板３の厚みｓと同じ溝幅の領域が形成されていた。また、上記切込み溝部２０では、挟持部２３として、上記仕切り板３の厚みｓよりもやや小さい溝幅の領域が、嵌合側辺７から仕切り側辺９に向かう所定区間において形成されていた。
【０１２９】
しかしながら、図７に示すように、上記切込み溝部２０は、嵌合部３４の中間に、挟持部２３として、切込み溝２０の内部に半円形の突出部を有する形状であってもよい。
【０１３０】
すなわち、嵌合部２３は、嵌合相手である仕切り板３の厚み幅ｔと等しい溝幅を有しており、嵌合側辺７から仕切り側辺９に向かう方向における嵌合部３４の略中央付近であり、かつ切込み溝部２０内部に略半円形の突出部（挟持部２３）が形成されている。
【０１３１】
このように切込み溝部２０が形成される場合、挟持部２３が曲線で構成されるため嵌合相手の仕切り板３をスムーズに嵌め込むことができる。また、この略半円系形の突出部とこの突出部と対向する切込み溝部２０の側部とによって実現できる挟持部２３により、上記仕切り板３を挟持することができる。
【０１３２】
なお、仕切り板３が有する切込み溝３０の形状が、上記図７に示す切込み溝部２０の形状と同様であってもよい。
【０１３３】
また、上記切込み溝部２０は、図８に示すように、嵌合側辺７から仕切り側辺９に向かう方向において、当該切込み溝部２０の溝形状を形成する両側部が左右非対称となる構成であってもよい。
【０１３４】
すなわち、切込み溝部２０の一方の側部（図８において右側の側部）は、図２に示した切込み溝部２０の側部形状と同様である。しかし、他方の側部（図８において左側の側部）は、嵌合側辺７における開口位置から、切込み溝部の内部に向かって傾斜する。なお、この他方の側部における傾斜は、上記開口位置から、切込み溝部２０の長手方向における略中点位置に向かっており、この略中点位置における両側部間の距離が仕切り板３の厚み幅よりも小さくなる。
【０１３５】
そして、上記他の側部がこの略中点位置に達すると、この側部は、切込み溝部の開口位置と対向する端部に向かって溝幅が広がるように傾斜する。なお、この端部において切込み溝部２０の溝幅は仕切り板３の厚み幅ｔと等しくなる。
【０１３６】
このように切込み溝部２０が構成されている場合、挿入開口部２１として仕切り板３の厚み幅ｔよりも大きな溝幅となる区間が、図１に示す形状の切込み溝部２０よりも大きくなる。このため、嵌合相手である仕切り板３を、仕切り板２の嵌合側辺部７に対して略垂直に嵌め合わさなくても、上手く仕切り板２に対して嵌め込むことができる。
【０１３７】
また、図８に示す切込み溝２０は、切込み溝部２０の略中点位置に形成された、仕切り板３の厚み幅ｔ以下となる溝幅の区間、すなわち嵌合部３４を有している。このため仕切り板３を挟持することができ、嵌合相手の仕切り板３が外れることを防ぐことができる。
【０１３８】
なお、上記した仕切り板２または仕切り板３は、他の仕切り板との仕切り・交差部に被梱包物の大きさに合わせ切込み溝部２０または切込み溝部３０を設け、この切込み溝部２０または切込み溝部３０の溝幅を一定の溝間隔より狭くしたことを特徴とするものとしてもよい。
【０１３９】
また、嵌合し合う仕切り板２と仕切り板３との双方の、切込み溝部２０および切込み溝部３０の挿入開口部２１および挿入開口部３１にＶカット加工を施したことを特徴とするものとしてもよい。
【０１４０】
また、上記した仕切り板２または仕切り板３は、仕切り高さの１／２を溝切り加工行い、嵌合する仕切り板の厚み分の溝幅を保持し、一定の所はこの溝幅を狭くしたことを特徴とするものとしてもよい。
【０１４１】
また、上記した仕切り板２または仕切り板３では、切込み溝２０または切込み溝３０の挿入開口部２１または挿入開口部３１における溝幅の形状を広くして、嵌合相手に仕切り板を挿入する方向に従って、この溝幅が狭くなることを特徴とするものとしてもよい。
【０１４２】
また、上記した仕切り板２と仕切り板３とにおいて、切込み溝の形状を逆にしたことを特徴とするものとしてもよい。
【０１４３】
また、上記した仕切り板２と仕切り板３とにおいて、切込み溝の形状を互い違いに変えたことを特徴とするものとしてもよい。
【０１４４】
また、上記した仕切り板２の切込み溝部２０または仕切り板３の切込み溝部３０の形状を複数変えた、すなわち複数種類としたことを特徴とするものとしてもよい。
【０１４５】
また、上記した仕切り板２と仕切り板３とにおいて、嵌合し合う切込み溝２０と切込み溝３０との形状を異ならせたことを特徴とするものとしてもよい。
【０１４６】
また、上記した仕切り板２が備える切込み溝２０、または仕切り板３が備える切込み溝３０の数は必要に応じて決められるものであることを特徴とするものとしてもよい。
【０１４７】
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１４８】
本発明に係る仕切り板は、切込み溝において、嵌合相手の仕切り板の厚み幅より小さい溝幅となる領域を有している。このため、嵌合相手の仕切り板を強い接合強度で挟持することができる。
【０１４９】
したがって仕切り板が相互に外れにくい仕切りを提供することができるため、精密部品など仕切り板が外れ仕切りが変形してしまうことを避ける必要ある被梱包物を収納容器に収容する場合などに適用できる。
【図面の簡単な説明】
【０１５０】
【図１】本発明の実施形態を示すものであり、仕切り板同士を嵌合させた状態を示す斜視図である。
【図２】本実施の形態に係る仕切り板の構成を示す斜視図であり、同図（ａ）は、一方の仕切り板の構成を示し、同図（ｂ）は、他方の仕切り板の構成を示す斜視図である。
【図３】本実施の形態に係る段ボール箱の内部に配置された仕切りの一例を示す斜視図である。
【図４】本発明の他の実施形態を示すものであり、仕切り板が有する切込み溝部の形状を示す図である。
【図５】本発明の他の実施形態を示すものであり、嵌合させる双方の仕切り板を示す斜視図である。
【図６】本発明の他の実施形態を示すものであり、嵌合させる双方の仕切り板を示す斜視図である。
【図７】本発明の他の実施形態を示すものであり、仕切り板が有する切込み溝部の形状を示す図である。
【図８】本発明の他の実施形態を示すものであり、仕切り板が有する切込み溝部の形状を示す図である。
【図９】従来技術を示すものであり、段ボール箱の内部に配置された仕切りの一例を示す斜視図である。
【図１０】従来技術を示すものであり、嵌合する両者の仕切り板の構成を示す斜視図である。
【図１１】従来技術を示すものであり、仕切り板同士が嵌合している状態を示す斜視図である。
【図１２】従来技術を示すものであり、仕切りの構成を示す斜視図である。
【図１３】従来技術を示すものであり、段ボール箱の内部への仕切りの配置状態を示す斜視図である。
【図１４】従来技術を示すものであり、複数の切込み溝…を有する仕切り板の構成を示す図である。
【図１５】従来技術を示すものであり、同図（ａ）は、第１仕切り板の構成を、また、同図（ｂ）は、第２仕切り板の構成を示す図である。
【図１６】従来技術を示すものであり、同図（ａ）は縦仕切り板の構成を、また、同図（ｂ）は、横仕切り板の構成を示す図である。
【図１７】従来技術を示すものであり、縦仕切り板と横仕切り板とを嵌合させた状態を示す斜視図である。
【図１８】従来技術を示すものであり、嵌合し合う中仕切り板それぞれの構成を示す斜視図である。
【図１９】従来技術を示すものであり、中仕切り板同士を嵌合させた状態を示す斜視図である。
【符号の説明】
【０１５１】
１    段ボール箱
２    仕切り板
３    仕切り板
４    仕切り
２０  切込み溝部
２１  挿入開口部
２２  支持部
２３  挟持部
２４  嵌合部
３０  切込み溝部
３１  挿入開口部
３２  支持部
３３  挟持部
３４  嵌合部
４０  切込み溝部
５０  切込み溝部
【図１】
2006188239.tif 000003
【図２】
2006188239.tif 000004
【図３】
2006188239.tif 000005
【図４】
2006188239.tif 000006
【図５】
2006188239.tif 000007
【図６】
2006188239.tif 000008
【図７】
2006188239.tif 000009
【図８】
2006188239.tif 000010
【図９】
2006188239.tif 000011
【図１０】
2006188239.tif 000012
【図１１】
2006188239.tif 000013
【図１２】
2006188239.tif 000014
【図１３】
2006188239.tif 000015
【図１４】
2006188239.tif 000016
【図１５】
2006188239.tif 000017
【図１６】
2006188239.tif 000018
【図１７】
2006188239.tif 000019
【図１８】
2006188239.tif 000020
【図１９】
2006188239.tif 000021